(57)【要約】【課題】  現像剤が円滑に循環し、かつトナーが一度に多量に補給されても、トナーと現像剤との混合性が高く、トナーの帯電立ち上がりの遅れが起こり難く、画像形成速度の高速化に対応可能な現像装置および該現像装置を含む画像形成装置を提供する。【解決手段】  現像槽２内に攪拌ローラ４、第１攪拌ローラ５、第１層厚規制部材６、第２層厚規制部材７、流れ板８、滞留防止部材１０および第２攪拌ローラ１１が内蔵され、さらにトナーセンサ９を含む現像装置１において、流れ板８の上方の現像槽壁である天板２ａにトナー補給用開口部３を形成する。【選択図】      図１
2006301282.tif 000002
【特許請求の範囲】
【請求項１】
開口部を有し、トナーとキャリアとを含む現像剤を収容する現像槽と、
現像槽の開口部を介して感光体ドラム表面に対向しかつ回転自在に設けられ、その表面に現像剤層を担持する現像ローラと、
現像槽内部にて現像ローラに離隔しかつ回転自在に設けられ、現像剤の攪拌および現像剤の現像ローラへの供給を行う攪拌ローラと、
現像ローラ表面の現像剤層の層厚を規制する層厚規制部材と、
現像槽内の現像ローラおよび攪拌ローラの上方において、現像ローラから攪拌ローラへ向う方向に延びるように設けられ、現像槽内の現像剤の流れを規制する流れ板と、
現像槽内部のトナー濃度を検知するトナーセンサとを含み、感光体ドラム表面に形成される静電潜像にトナーを供給して現像する現像装置において、
流れ板の上方の現像槽壁にトナー補給用開口部が形成されることを特徴とする現像装置。
【請求項２】
トナー補給用開口部は、
流れ板における現像ローラ側に位置する一方の端部上方の現像槽壁に設けられることを特徴とする請求項１記載の現像装置。
【請求項３】
流れ板は、
現像ローラ側の一方の端部を、鉛直方向において他方の端部よりも高く位置するように傾斜して設けられることを特徴とする請求項１または２記載の現像装置。
【請求項４】
表面に画像情報に基づく静電潜像を形成し得る感光層を有する感光体ドラムと、感光体ドラム表面を帯電させる帯電手段と、帯電状態にある感光体ドラム表面に光を照射して画像情報に基づく静電潜像を形成する露光手段と、感光体ドラム表面の静電潜像にトナーを供給してトナー像を形成する現像手段と、感光体ドラム表面のトナー像を記録媒体に転写する転写手段と、記録媒体上のトナー像を記録媒体に定着させる定着手段とを含む画像形成装置において、
現像手段は請求項１〜３のいずれか１つに記載の現像装置であることを特徴とする画像形成装置。
【発明の詳細な説明】
【技術分野】
【０００１】
本発明は、現像装置および画像形成装置に関する。
【背景技術】
【０００２】
電子写真方式は、良好な画質品位を有する画像を容易に形成できることから、複写機、プリンタ、ファクシミリなどの画像形成装置に広く利用される。電子写真方式を用いた画像形成装置は、一般に、光導電性物質を含む感光体表面を一様に帯電させる帯電手段と、帯電状態にある感光体表面に画像情報に基づく光を照射して静電潜像を形成する露光手段と、感光体表面の静電潜像に現像剤に含まれるトナーを供給してトナー像を形成する現像手段と、感光体表面に担持されるトナー像を記録媒体表面に転写する転写手段と、加熱、加圧などによって記録媒体上のトナー像を記録媒体に定着させる定着手段とを含んで構成される。
【０００３】
図３は、従来の電子写真方式の画像形成装置において、現像手段として用いられる現像装置１００の構成を模式的に示す断面図である。現像装置１００は、
開口部１０２ａおよびトナー供給口１０３を有しかつトナーとキャリアとを含む現像剤を収容する現像槽１０２と、現像槽１０２の開口部１０２ａを介して感光体ドラム１１２表面に対向しかつ回転自在に設けられ、その表面に現像剤層を担持する現像ローラ１０４と、現像槽１０２内部にて現像ローラ１０４に離隔しかつ回転自在に設けられ、現像剤を現像ローラ１０４周辺に供給する第１攪拌ローラ１０５と、第１攪拌ローラ１０５に離隔しかつ回転自在に設けられ、第１攪拌ローラ１０５周辺にトナーを供給する第２攪拌ローラ（トナー受けローラ）１１１と、現像ローラ１０４表面に予め定められた間隔を有して離隔するように設けられ、現像ローラ１０４表面の現像剤層の層厚を均一化する層厚規制部材１０６，１０７と、層厚規制部材１０６と一体化して設けられ、現像槽１０２内の現像剤の流れを規制する流れ板１０８とを含む。現像装置１００において、トナー供給口１０３は第２攪拌ローラ１１１上方の現像槽壁１０２ｂに形成される（たとえば、特許文献１〜２参照）。すなわち、現像装置１００においては、現像槽１０２の開口部１０２ａ側の一端には現像ローラ１０４を設け、他端にはトナー受けローラである第２攪拌ローラ１１１を設け、第２攪拌ローラ１１１上方の現像槽壁１０２ｂにトナー供給口１０３を設けるのが一般的である。
【０００４】
現像装置１００によれば、層厚規制部材１０６，１０７により現像ローラ１０４表面から除去される現像剤が、現像ローラ１０４および第１攪拌ローラ１０５上方に、現像ローラ１０４から第１攪拌ローラ１０５に向けて延びるように設けられる板状部材である流れ板１０８の上面に沿って移動して第２攪拌ローラ１１１周辺まで戻される。一方、第２攪拌ローラ１１１の上方にはトナー供給口１０３が設けられので、第２攪拌ローラ１１１周辺にはトナーも補給される。現像剤とトナーとは第２攪拌ローラ１１１の回転駆動（攪拌）により混合されるとともに、トナーはキャリアとの接触により帯電する。この帯電状態にあるトナーを含む現像剤は第１攪拌ローラ１０５ひいては現像ローラ１０４の周囲に搬送され、現像ローラ１０４表面に担持され、現像ローラ１０４表面に現像剤層が形成される。流れ板１０８を設けることによって、現像槽１０２内において現像剤が前記のように円滑に循環し、トナーには充分な電荷が付与されるので、現像動作が確実に実行される。
【０００５】
このように、従来の現像装置は、通常の現像動作において何ら支障を来たすものではないけれども、最近における画像形成速度の顕著な高速化によって、地肌かぶりなどの画像不良、現像装置外部へのトナーの飛散などの不都合が発生するおそれが生じている。すなわち、画像形成を高速で行うと、特に画像形成を高速でかつ連続して行うと、多量のトナーが短持間に消費されるので、現像槽にも多量のトナーを短時間で供給することが必要になる。ところが、従来の現像装置において、第２攪拌ローラ上方のトナー供給口から多量のトナーを短時間で供給すると、現像剤とトナーとの混合が不充分になり、トナーの帯電立ち上がりの遅れが発生するおそれがある。トナーの帯電立ち上がりの遅れは、前述のような画像不良、トナー飛散などの不都合を引き起こす可能性がある。
【０００６】
したがって、電子写真方式の画像形成装置における画像形成速度の高速化に対応が可能な、さらに具体的にはトナー補給量が著しく増加しても、現像剤とトナーとの混合性を損なうことなくかつトナーの帯電不良が生じることがないような、トナーへの電荷付与性が一層向上した現像装置が求められている。
【０００７】
【特許文献１】特開平９−２５８５５４号公報
【特許文献２】特開平１０−４８９４８号公報
【発明の開示】
【発明が解決しようとする課題】
【０００８】
本発明の目的は、電子写真方式の画像形成装置において使用される現像装置であって、現像装置内部を現像剤が円滑に循環し、かつ現像装置内に多量のトナーが一度に補給されてもトナーの帯電立ち上がりの遅れが起こり難く、画像形成速度の高速化に対応可能な現像装置および該現像装置を含む画像形成装置を提供することである。
【課題を解決するための手段】
【０００９】
本発明者は上記課題を解決するために鋭意研究を重ねた結果、現像剤を円滑に循環させるための流れ板を備える現像装置において、流れ板の上方にトナー補給用開口部を設け、現像剤が流過する流れ板上にトナーを補給することによって、補給されたトナーの現像剤への接触効率が高まり、さらに流れ板上では現像剤中のキャリアが回転しながら流過するため、補給されたトナーとキャリアとの摩擦帯電が生じ、多量のトナーを補給してもトナーの帯電立ち上がりが良好であることを見出し、本発明を完成した。
【００１０】
本発明は、
開口部を有し、トナーとキャリアとを含む現像剤を収容する現像槽と、
現像槽の開口部を介して感光体ドラム表面に対向しかつ回転自在に設けられ、その表面に現像剤層を担持する現像ローラと、
現像槽内部にて現像ローラに離隔しかつ回転自在に設けられ、現像剤の攪拌および現像ローラへ供給を行う攪拌ローラと、
現像ローラ表面の現像剤層の層厚を規制する層厚規制部材と、
現像槽内の現像ローラおよび攪拌ローラの上方において、現像ローラから攪拌ローラへ向う方向に延びるように設けられ、現像槽内の現像剤の流れを規制する流れ板と、
現像槽内部のトナー濃度を検知するトナーセンサとを含み、感光体ドラム表面に形成される静電潜像にトナーを供給して現像する現像装置において、
流れ板の上方の現像槽壁にトナー補給用開口部が形成されることを特徴とする現像装置である。
【００１１】
また本発明の現像装置は、
前述のトナー補給用開口部が、
流れ板における現像ローラ側に位置する一方の端部上方の現像槽壁に設けられることを特徴とする。
【００１２】
また本発明の現像装置は、
前述の流れ板が、
現像ローラ側の一方の端部を、鉛直方向において他方の端部よりも高く位置するように傾斜して設けられることを特徴とする。
【００１３】
また本発明は、
表面に画像情報に基づく静電潜像を形成し得る感光層を有する感光体ドラムと、感光体ドラム表面を帯電させる帯電手段と、帯電状態にある感光体ドラム表面に光を照射して画像情報に基づく静電潜像を形成する露光手段と、感光体ドラム表面の静電潜像にトナーを供給してトナー像を形成する現像手段と、感光体ドラム表面のトナー像を記録媒体に転写する転写手段と、記録媒体上のトナー像を記録媒体に定着させる定着手段とを含む画像形成装置において、
現像手段が前述のいずれか１つの現像装置であることを特徴とする画像形成装置である。
【発明の効果】
【００１４】
本発明によれば、トナーとキャリアとを含む現像剤を収容する現像槽と、その表面に現像剤層を担持する現像ローラと、現像剤を攪拌するとともに現像ローラに供給する攪拌ローラと、現像ローラ表面の現像剤層の層厚を規制する層厚規制部材と、現像槽内の現像剤の循環を規制する流れ板と、現像槽内部のトナー濃度を検知するトナーセンサとを含む現像装置において、流れ板の上方の現像槽壁（現像槽の天板）にトナー補給用開口部を形成することによって、現像槽内に補給されるトナーと現像槽内を循環する現像剤との混合性が高まり、特に流れ板上にてトナーと現像剤に含まれるキャリアとの混合（接触）が始まるので、トナー帯電の立ち上がりが早くなり、現像ローラ表面に担持される前にトナーが均一にかつ充分に帯電する。その結果、高速で連続的に画像形成を行い、一度に多量のトナーを補給しても、地肌かぶりなどの画像不良、トナー飛散などの発生を防止できる。
【００１５】
本発明によれば、本発明の現像装置において、トナー補給用開口部を、流れ板における現像ローラ側に位置する一方の端部上方の現像槽壁に設けることによって、トナーが流れ板の現像ローラ側の端部に補給されるので、トナー補給用開口部から補給されるトナーと現像剤との混合が行われる流れ板上での距離ひいては混合時間が長くなり、トナーと現像剤との混合性がさらに高まる。このように、トナーと現像剤とは、攪拌ローラの周囲に到達する前にある程度均一に混合し、トナーまたは現像剤の大きな塊を含むことがなく、攪拌による応力が掛け易い粉体混合物になっているので、攪拌ローラによる攪拌性も向上し、トナーの帯電立ち上がりはさらに良好になる。したがって、地肌かぶりなどの画像不良、トナー飛散などの発生を一層防止できる。
【００１６】
本発明によれば、本発明の現像装置において、流れ板を、現像ローラ側の一方の端部が他方の端部よりも、鉛直方向における位置が高くなるように設けることによって、攪拌ローラの周囲に戻される現像剤が流れ板上でさらに円滑に流過し、トナーと現像剤との混合性が一層向上する。
【００１７】
本発明によれば、本発明の現像装置を含み、長期にわたって地肌かぶりなどの画像不良のない高画質品位の画像を形成でき、さらに装置内でのトナー飛散なども起こらない電子写真方式の画像形成装置が提供される。
【発明を実施するための最良の形態】
【００１８】
図１は、本発明の実施の第１形態である現像装置１の構成を模式的に示す断面図である。
【００１９】
本発明の現像装置１は、非磁性トナー（以後特に断らない限り単に「トナー」と称す）と磁性キャリア（以後特に断らない限り単に「キャリア」と称す）とを含む二成分現像剤（以後特に断らない限り単に「現像剤」と称す）を用いて、図示しない電子写真方式の画像形成装置において、感光体ドラム１２表面の静電潜像にトナーを供給してトナー像を形成する現像動作を実行する。
【００２０】
現像装置１は、図示しない現像剤を貯留しかつ現像ローラ４、第１攪拌ローラ５、第１層厚規制部材６、第２層厚規制部材７、流れ板８、滞留防止部材１０および第２攪拌ローラ１１を内蔵する現像槽２と、現像槽２の開口部２ａにおいてその一部が現像槽２の外方に向けて露出して感光体ドラム１２に対向しかつ近接するように設けられる現像ローラ４と、現像ローラ４に関して感光体ドラム１２と反対側で現像ローラ４に対向しかつ離隔するように設けられる第１攪拌ローラ５と、現像ローラ４表面に対して予め定める間隔を有するように設けられる第１層厚規制部材６および第２層厚規制部材７と、第１層厚規制部材６と一体化されかつ現像ローラ４および第１攪拌ローラ５の上方に設けられる流れ板８と、現像槽２内のトナー濃度を検知するトナーセンサ９と、現像ローラ４および第１層厚規制部材６を臨むように設けられかつ現像槽２の天板２ｂに支持される滞留防止部材１０と、第１攪拌ローラ５に関して現像ローラ４と反対側で第１攪拌ローラ５に対向しかつ離隔するように設けられる第２攪拌ローラ１１とを含んで構成される。
【００２１】
現像槽２は、前述のように現像剤を貯留する槽であり、流れ板８の上方の現像槽壁である天板２ａには、トナーを補給するためのトナー補給用開口部３が形成される。トナー補給用開口部３は、流れ板８の現像ローラ４側に位置する一方の端部８ａ上方の天板２ａに形成するのが好ましい。これによって、トナー補給用開口部３から補給されるトナーと、流れ板８上を流過する現像剤との混合性が一層向上する。トナー補給用開口部３の外部には、図示しないトナー貯留容器（トナーホッパー）が設けられ、後述するように、現像槽２内部のトナー濃度（またはトナー消費量）に応じて矢符１８の方向からトナーが補給される。
【００２２】
現像ローラ４は、図示しない駆動手段により矢符１３の方向に回転駆動可能に設けられる円筒状部材であり、その内部には複数の磁極を有し、その表面に現像剤を磁気的に吸着して図示しない現像剤層を担持する。現像ローラ４の内部に設けられる複数の磁極は、現像ローラ４の表面に担持される現像剤層を、現像剤が穂状に連なった磁気ブラシ形状とする。現像ローラ４と感光体ドラム１２との間には直流重畳交流電圧が印加され、現像領域には交番電界が発生するので、現像ローラ４表面の磁気ブラシ形状の現像剤層から電荷を有するトナーのみが感光体ドラム１２表面の静電潜像に付着することによって、現像動作が実行される。
【００２３】
第１攪拌ローラ５は、図示しない駆動手段により現像ローラ４と連動して矢符１４の方向に回転駆動するように設けられる円筒状部材である。第１攪拌ローラ５の回転（攪拌）により、現像剤中のトナーとキャリアとが摺擦され、その際の接触摩擦によって、流れ板８上にて予めある程度の電荷が付与されているトナーに、感光体ドラム１２表面の静電潜像の現像に必要充分な電荷がさらに付与される。第１攪拌ローラ５は、前述のようにトナーを充分に帯電させるとともに、トナーとキャリアとをさらに均一に混合し、帯電したトナーがキャリア表面に均一に付着する状態の現像剤として現像ローラ４の周囲に送給する。
【００２４】
第１層厚規制部材６は流れ板８と一体化して形成される、断面が略Ｖ字状に屈曲した板状部材である。また、第１層厚規制部材６は、現像ローラ４表面に予め定められる間隔を有して離隔するように設けられる。第１層厚規制部材６によって、現像ローラ４表面の現像剤層の層厚が均一化される。第１層厚規制部材６は、具体的には、現像ローラ４表面の余分な現像剤を除去する。除去される現像剤は第１層規制部材６の表面に沿って流過し、流れ板８上に送給される。本実施の形態では、第１層厚規制部材６と流れ板８とを一体化して形成するけれども、それに限定されず、別々の部材からなる第１層厚規制部材６と流れ板８とをこれらが接するように配置し、現像剤が第１層厚規制部材６と流れ板８との間隙から落下することなく、矢符１５および矢符１６の方向に円滑に流過するように構成してもよい。
【００２５】
第２層厚規制部材７は、一端が現像ローラ４表面に予め定められる間隔を有して離隔するように設けられ、他端が現像槽２の天板２ｂおよび／または滞留防止部材１０に支持される板状部材である。第２層厚規制部材７は、第１層厚規制部材６により層厚をある程度均一化された現像ローラ４表面の現像剤層から余分な現像剤を除去して現像剤層の層厚をさらに均一化する。これによって、トナーが静電潜像に均一に付着し、現像動作が確実に実行される。さらに第２層厚規制部材７は、第１層厚規制部材６により除去される現像剤の流過方向を変更する機能をも有する。第２層厚規制部材７により除去される現像剤は、流れ板８と滞留防止部材１０との間の空間を流過して流れ板８上に送給される。第２層厚規制部材７と現像ローラ４表面との間隔は、第１層厚規制部材６と現像ローラ４表面との間隔よりも小さく設定するのが好ましい。
【００２６】
流れ板８は、現像ローラ４および第１攪拌ローラ５の上方において、現像ローラ４から第１攪拌ローラ５に向かう方向に延び、本実施の形態では第１層厚規制部材６と一体化して設けられる板状部材である。なお、流れ板８は、現像ローラ４側の一方の端部８ａが、鉛直方向において他方の端部８ｂ（すなわち第１攪拌ローラ５側の端部８ｂ）よりも高い位置にくるように傾斜して設けるのが好ましい。これによって、現像剤とトナーとの混合性が一層高まる。
【００２７】
流れ板８の上面には、第１層厚規制部材６および／または第２層厚規制部材７により除去される現像剤が送給されてくるとともに、流れ板８の上方に位置するトナー供給用開口部３から現像槽２内のトナー濃度またはトナー消費量に応じてトナーが補給される。現像剤中のキャリアは、流れ板７上を回転しながらかつ補給されるトナーと摺擦しながら流過するので、キャリアとトナーとの混合が起こり、さらにトナーにもある程度の電荷が付与され、トナーの帯電立ち上がり性を向上させる。そして、第１攪拌ローラ５側の端部８ｂから第１攪拌ローラ５の周囲に供給される際には、トナーとキャリアとの混合が進み、トナーにある程度の電荷が付与された状態になっている。これに第１攪拌ローラ５による攪拌が加えられることによって、トナーとキャリアとが均一に混合し、トナーが充分な電荷を付与された状態の現像剤が得られる。
【００２８】
トナーセンサ９は、第１攪拌ローラ５の下方の現像槽底面に装着され、センサ面が現像槽２の内部に露出するように設けられる。トナーセンサ９は、現像装置１が図示しない電子写真方式の画像形成装置に組み込まれる際に、該画像形成装置の各種の動作を制御する図示しないＣＰＵに電気的に接続される。そして、トナーセンサ９により現像槽２内のトナー濃度が検知され、その検知結果はＣＰＵに格納される。ＣＰＵは検知結果に基づいて、現像槽２へのトナーの補給の可否を判断する。そして、トナー補給が必要と判断した場合は、制御信号を送って図示しないトナー貯留容器からトナー補給用開口部３を介して現像槽２内にトナーを補給する。
【００２９】
滞留防止部材１０は、現像槽２の天板２ｂと第１攪拌ローラ５および第１層厚規制部材６との間の空間に、第２層厚規制部材７に接し、第１攪拌ローラ５および第１層厚規制部材６に対しては予め定められる間隔を有して離隔しかつ現像槽２の天板２ｂにより支持されるように設けられる。滞留防止部材１０を設けることによって、第１層厚規制部材６および／または第２層厚規制部材７によって除去される現像剤が、現像槽２の天板２ｂと第２層厚規制部材７との間の空間に滞留するのが防止され、現像槽２内において現像剤が円滑に循環するための、補助的な機能を果たす。
【００３０】
第２攪拌ローラ１１は、図示しない駆動手段により軸線方向に回転駆動可能に設けられる、軸体と軸体の半径方向に設けられる板状部材とを含んで構成されるパドル状ローラである。第２攪拌ローラ１１は、流れ板８上を流過して第１攪拌ローラ５の周囲に供給されるトナーと現像剤との混合物に攪拌による応力を付与し、トナーと現像剤との一層の均一混合、トナーへの電荷付与などを補助する機能を果たす。
【００３１】
現像装置１によれば、現像ローラ４表面の余分な現像剤が第１層厚規制部材６および第２層厚規制部材７によって除去され、除去された現像剤は流れ板８上を流過し、流れ板８の上方に設けられるトナー補給用開口部３から補給されるトナーと混合される。この時、トナーと現像剤との混合が進むとともに、トナーにある程度の電荷が付与される。次に、この混合物は第１攪拌ローラ５の周囲に供給され、第１攪拌ローラ５の攪拌によりトナーとキャリアとが均一に混合した現像剤になり、トナーには現像動作に必要充分な電荷が付与される。この現像剤は現像ローラ４の周囲に供給され、現像ローラ４表面には現像動作には不要な余分量の現像剤を含む現像剤層が形成され、余分量の現像剤は第１層厚規制部材６および第２層厚規制部材７によって除去され、一連の動作が繰返し実行される。
【００３２】
図２は、本発明の実施の第２形態である現像装置２０の構成を模式的に示す断面図である。現像装置２０は現像装置１に類似し、対応する部分については同一の参照符号を付して説明を省略する。
【００３３】
現像装置２０は、第２攪拌ローラ１１が設けられないことを特徴とする。第２攪拌ローラ１１が設けられなくても、流れ板８上でトナーと現像剤との混合が進むので、第１攪拌ローラ５による攪拌を行えば、トナーとキャリアとの混合およびトナーへの電荷付与が何ら支障なく実行される。
【００３４】
現像装置２０においても、現像装置１と同様に現像剤が循環し、現像動作が実行される。
【００３５】
本発明のもう１つの実施形態である画像形成装置は、表面に画像情報に基づく静電潜像を形成し得る感光層を有する感光体ドラムと、感光体ドラム表面を所定電位に帯電させる帯電手段と、帯電状態にある感光体ドラム表面を露光して画像情報に基づく静電潜像を形成する露光手段と、感光体ドラム表面の静電潜像にトナーを供給してトナー像を形成する現像手段と、感光体ドラム表面のトナー像を記録媒体上に転写する転写手段と、記録媒体表面のトナー像を記録媒体に定着させる定着手段とを含む電子写真方式の画像形成装置において、現像手段として前述の本発明の現像装置を用いるものである。
【００３６】
感光体ドラムには、たとえば、金属製の芯金表面に有機感光層が形成されたものを使用できる。有機感光層は電荷発生層と電荷輸送層とが積層されたものでもよく、または一層中に電荷発生物質と電荷輸送物質とを含むものでもよい。帯電手段には、たとえば、帯電ローラ、コロナ帯電器などを使用できる。露光手段には、たとえば、レーザ光源などを使用できる。転写手段には、たとえば、転写ローラなどを利用する方式を採用できる。定着手段には、たとえば、加圧ローラと加熱ローラとを組合せて用いる方式を採用できる。
【００３７】
本発明の画像形成装置は、現像手段として前述の本発明現像装置を利用する以外は、従来の電子写真方式の画像形成装置と同様の構成を採ることができる。すなわち、本発明の現像装置を用いる画像形成装置は、いずれも本発明の画像形成装置に含まれる。
【図面の簡単な説明】
【００３８】
【図１】本発明の実施の第１形態である現像装置の構成を模式的に示す断面図である。
【図２】本発明の実施の第２形態である現像装置の構成を模式的に示す断面図である。
【図３】従来の現像装置の構成を模式的に示す断面図である。
【符号の説明】
【００３９】
１，２０  現像装置
２  現像槽
３  トナー補給用開口部
４  現像ローラ
５  第１攪拌ローラ
６  第１層厚規制部材
７  第２層厚規制部材
８  流れ板
９  トナーセンサ
１０  滞留防止部材
１１  第２攪拌ローラ
１２  感光体ドラム
【図１】
2006301282.tif 000003
【図２】
2006301282.tif 000004
【図３】
2006301282.tif 000005